(57)【要約】      （修正有）【課題】コンタクトをハウジング内に固定する係止部の破損を抑制する雌コネクタ及びカードエッジコネクタを提供する。【解決手段】基板に複数のカードエッジ端子が形成されたカード部材と接続される複数のコンタクト１６６を有する雌コネクタ５２であって、コンタクト１６６が収容される複数のコンタクト収容部が形成された内側ハウジング１２０と、内側ハウジング１２０が格納される格納部８８を有する外側ハウジング５４と、を有し、外側ハウジング５４の格納部８８には、コンタクト１６６が係止される係止部が形成され、内側ハウジング１２０のコンタクト収容部に収容されたコンタクト１６６が、格納部８８に形成された係止部により係止されている。【選択図】図１１
2017050134.tif 000002
【特許請求の範囲】
【請求項１】
基板に複数のカードエッジ端子が形成されたカード部材と接続される複数のコンタクトを有する雌コネクタであって、
前記コンタクトが収容される複数のコンタクト収容部が形成された内側ハウジングと、
前記内側ハウジングが格納される格納部を有する外側ハウジングと、を有し、
前記外側ハウジングの前記格納部には、前記コンタクトが係止される係止部が形成され、
前記内側ハウジングの前記コンタクト収容部に収容された前記コンタクトが、前記格納部に形成された前記係止部により係止されていることを特徴とする雌コネクタ。
【請求項２】
前記外側ハウジングは、前記内側ハウジングに比べ、軟らかく形成されていることを特徴とする請求項１に記載の雌コネクタ。
【請求項３】
前記内側ハウジングは、前記基板と同じ、または近似する線膨張係数で形成されていることを特徴とする請求項１又は２に記載の雌コネクタ。
【請求項４】
前記内側ハウジングの線膨張係数と、前記基板の線膨張係数との関係は、
前記基板の線膨張係数をＸとし、前記内側ハウジングの線膨張係数をＹとしたとき、
０．８５Ｘ≦Ｙ≦１．１５Ｘ、
であることを特徴とする請求項３に記載のカードエッジコネクタ。
【請求項５】
前記コネクタ、前記内側ハウジング及び前記外側ハウジングは、リテーナにより固定されていることを特徴とする請求項１〜４のいずれかに記載の雌ハウジング。
【請求項６】
前記外側ハウジングの前記格納部には、前記カード部材が挿入される側の前記格納部の上側と下側を繋ぐ第１仕切部が少なくとも一か所に形成されており、
前記内側ハウジングは、前記カード部材が挿入される側に前記カード部材が挿入される内側開口部を有し、
前記内側開口部を挟んで上側と下側に前記コンタクト収容部が形成されており、
前記内側開口部の上側と下側を繋ぐ第２仕切部が前記第１仕切部と対応するように形成されていることを特徴とする請求項１〜５のいずれかに記載の雌コネクタ。
【請求項７】
前記請求項１〜６のいずれかに記載の雌コネクタと、
前記カード部材と、が接続されていることを特徴とするカードエッジコネクタ。
【請求項８】
前記カード部材には、前記雌コネクタの前記外側ハウジングに形成された前記第１仕切部と前記内側ハウジングに形成された第２仕切部に嵌まり込む切れ込み部が形成されていることを特徴とする請求項７に記載のカードエッジコネクタ。
【請求項９】
前記カード部材は、一方に開口部を有する箱状のカバー体に収容され、
前記カバー体は、前記カード部材と共に前記雌コネクタに接続されていることを特徴とする請求項７又は８に記載のカードエッジコネクタ。
【請求項１０】
前記カード部材又は前記カバー体と前記雌コネクタと接する部分には、シール部材が設けられていることを特徴とする請求項７〜９のいずれかに記載のカードエッジコネクタ。
【発明の詳細な説明】
【技術分野】
【０００１】
本発明は、カードエッジ端子を有する基板が装着される雌コネクタ及びカードエッジコネクタに関し、詳しくは、カードエッジ端子と接触されるコンタクトをハウジング内に固定させるための係止部の破損を抑制することができる雌コネクタ及びカードエッジコネクタに関する。
【背景技術】
【０００２】
カードエッジ端子を有するカード部材が接続されるコネクタの発明として、下記特許文献１には、少なくとも１つのカードエッジ端子が少なくとも一面に形成されたカードエッジ部を有するカード部材と接続される雌コネクタであって、一方に前記カードエッジ端子と接続される接続部と、他方にワイヤーが装着されるワイヤー装着部とを有し、前記接続部及び前記ワイヤー装着部が一体に形成された少なくとも１つのコンタクトと、一方に前記カードエッジ部が挿入される平開口部と、他方に前記ワイヤーが挿通される挿通部とを有し、内部に前記平開口部と連通し前記カードエッジ部が配置される内部空間と、前記内部空間を挟んで対向して設けられた前記コンタクトが位置決め及び固定されて収容されるコンタクト収容部とが形成されたハウジングと、を有し、前記ハウジングの前記内部空間には、前記コンタクト収容部の前記平開口部を挟んだ一方側及び他方側を繋ぐリブが少なくとも一箇所に形成されていることを特徴とする雌コネクタの発明が開示されている。
【先行技術文献】
【特許文献】
【０００３】
【特許文献１】特開２０１４−００３００７号公報
【発明の概要】
【発明が解決しようとする課題】
【０００４】
近年、カードエッジ端子を有する基板が装着される雌コネクタは、温度変化によって起きる熱収縮差による磨耗等を抑制するため、コンタクトが収容されるハウジングを基板と略同じ線膨張係数を有する材料を用いて形成されるものがある。この場合、ハウジング内にコンタクトを固定する係止部も基板と同じ線膨張係数を有する材料で形成されるため、柔軟性が低く、コンタクトの装着時や使用時に破損するおそれがある。
【０００５】
本発明は、このような課題を解決するためになされたもので、ハウジングとは別にコンタクトが固定される係止部が形成される部分を他の部材の材料に比べ、柔軟性を有する材料で形成し、ハウジングに組み込むことで、係止部の破損等を抑制することができる雌コネクタ及びカードエッジコネクタを提供する、
【課題を解決するための手段】
【０００６】
上記課題を解決するために、本発明の第１の態様の雌コネクタは、基板に複数のカードエッジ端子が形成されたカード部材と接続される複数のコンタクトを有する雌コネクタであって、
前記コンタクトが収容される複数のコンタクト収容部が形成された内側ハウジングと、
前記内側ハウジングが格納される格納部を有する外側ハウジングと、を有し、
前記外側ハウジングの前記格納部には、前記コンタクトが係止される係止部が形成され、
前記内側ハウジングの前記コンタクト収容部に収容された前記コンタクトが、前記格納部に形成された前記係止部により係止されていることを特徴とする。
【０００７】
また、第２の態様の雌コネクタは、第１の態様の雌コネクタにおいて、前記外側ハウジングは、前記内側ハウジングに比べ、軟らかく形成されていることを特徴とする。
【０００８】
また、第３の態様の雌コネクタは、第１又は２の態様の雌コネクタにおいて、前記内側ハウジングは、前記基板と同じ、または近似する線膨張係数で形成されていることを特徴とする。
【０００９】
また、第４の態様の雌コネクタは、第３の態様の雌コネクタにおいて、前記内側ハウジングの線膨張係数と、前記基板の線膨張係数との関係は、
前記基板の線膨張係数をＸとし、前記内側ハウジングの線膨張係数をＹとしたとき、
０．８５Ｘ≦Ｙ≦１．１５Ｘ、
であることを特徴とする。
【００１０】
また、第５の態様の雌コネクタは、第１〜第４のいずれかの態様の雌コネクタにおいて、前記コネクタ、前記内側ハウジング及び前記外側ハウジングは、リテーナにより固定されていることを特徴とする。
【００１１】
また、第６の態様の雌コネクタは、第１〜第５のいずれかの態様の雌コネクタにおいて、前記外側ハウジングの前記格納部には、前記カード部材が挿入される側の前記格納部の上側と下側を繋ぐ第１仕切部が少なくとも一か所に形成されており、
前記内側ハウジングは、前記カード部材が挿入される側に前記カード部材が挿入される内側開口部を有し、
前記内側開口部を挟んで上側と下側に前記コンタクト収容部が形成されており、
前記内側開口部の上側と下側を繋ぐ第２仕切部が前記第１仕切部と対応するように形成されていることを特徴とする。
【００１２】
第７の態様のカードエッジコネクタは、前記第１〜第６のいずれかの態様の雌コネクタと、
前記カード部材と、が接続されていることを特徴とする。
【００１３】
また、第８の態様のカードエッジコネクタは、第７の態様のカードエッジコネクタにおいて、前記カード部材には、前記雌コネクタの前記外側ハウジングに形成された前記第１仕切部と前記内側ハウジングに形成された第２仕切部に嵌まり込む切れ込み部が形成されていることを特徴とする。
【００１４】
また、第９の態様のカードエッジコネクタは、第７又は８の態様のカードエッジコネクタにおいて、前記カード部材は、一方に開口部を有する箱状のカバー体に収容され、
前記カバー体は、前記カード部材と共に前記雌コネクタに接続されていることを特徴とする。
【００１５】
また、第１０の態様のカードエッジコネクタは、第７〜第８のいずれかの態様のカードエッジコネクタにおいて、前記カード部材又は前記カバー体と前記雌コネクタと接する部分には、シール部材が設けられていることを特徴とする。
【発明の効果】
【００１６】
第１の態様の雌コネクタによれば、コンタクトが収容された内側ハウジングとコンタクトを係止する外側ハウジングが別体で形成されているので、ハウジングを一体で形成する場合に比べてコンタクトを取り付けやすくなると共に、製造が容易になる。
【００１７】
また、第２の態様の雌コネクタによれば、外側ハウジングに形成された係止部の破損を抑制することができる。
【００１８】
また、第３の態様の雌コネクタによれば、環境温度が変化しても基板の膨張する距離と内側ハウジングの膨張する距離とが同じ又は略同じとなるので、基板に形成されたカードエッジ端子とハウジングに収容されたコンタクトが接触した状態で摺動することを抑制でき、摺動による磨耗によりコンタクトに施したメッキが剥がれるが抑制され、電気抵抗値が上昇することを抑制することができる。
【００１９】
また、第４の態様の雌コネクタによれば、ハウジングの線膨張係数を基板の線膨張係数と同一又は近似した値とすることができる。
【００２０】
また、第５の態様の雌コネクタによれば、内側ハウジングと外側ハウジングを一体に形成した場合に比べ、リテーナの組み付けが容易となる。
【００２１】
また、第６の態様の雌コネクタによれば、格納部及び内側開口部の変形を抑制することができ、さらに、カード部材を接続したときにコンタクトとカードエッジ端子との接圧が逃げるのを抑制することができる。
【００２２】
第７の態様のカードエッジコネクタによれば、第１〜第６のいずれかの態様の雌コネクタの効果を奏する雌コネクタを備えたカードエッジコネクタを得ることができる。
【００２３】
また、第８の態様のカードエッジコネクタによれば、第１仕切部及び第２仕切部と切れ込み部の位置を合わせることで、カード部材と雌コネクタとの接続を確実に行うことができる。
【００２４】
また、第９の態様のカードエッジコネクタによれば、カード部材を埃や水等及び衝撃等から防ぐことができる。
【００２５】
また、第１０の態様のカードエッジコネクタによれば、カード部材又はカバー体と雌コネクタとの隙間から水や埃等が侵入することを抑制することができる。
【図面の簡単な説明】
【００２６】
【図１】図１Ａは実施形態のカードエッジコネクタの斜視図であり、図１Ｂはカードエッジコネクタの分解斜視図である。
【図２】雌コネクタの分解斜視図である。
【図３】図３Ａはカード部材の斜視図であり、図３Ｂは平面図であり、図３Ｃは図１ＢのIIIC−IIIC線での断面図である。
【図４】図４Ａは外側ハウジングの正面図であり、図４Ｂは背面図である。
【図５】図５Ａは外側ハウジングの平面図であり、図５Ｂは底面図であり、図５Ｃは一方から見た側面図である。
【図６】図６Ａは内側ハウジングの斜視図であり、図６Ｂは正面図であり、図６Ｃは背面図である。
【図７】図７Ａは内側ハウジングの平面図であり、図７Ｂは底面図であり、図７Ｃは一方から見た側面図である。
【図８】図８Ａはワイヤーが接続された状態のコンタクトの斜視図であり、図８Ｂは他の方向から見た斜視図である。
【図９】図９Ａはワイヤーが接続されていない状態のコンタクトの正面図であり、図９Ｂは図９ＡのIXB−IXB線での断面図である。
【図１０】図１０Ａはワイヤーシールカバーの斜視図あり、図１０Ｂはワイヤーシールの斜視図であり、図１０Ｃは一方のリテーナの斜視図である。
【図１１】図１ＢのXI−XI線での断面図である。
【図１２】図１１のXII部の拡大断面図である。
【図１３】図１ＡのXIII−XIII線での断面図である。
【発明を実施するための形態】
【００２７】
以下、図面を参照して本発明の実施形態を説明する。ただし、以下に示す実施形態は、本発明の技術思想を具体化するための雌コネクタ及びカードエッジコネクタを例示するものであって、本発明をこれに特定することを意図するものではなく、特許請求の範囲に含まれるその他の実施形態のものにも等しく適応し得るものである。
【００２８】
［実施形態］
図１〜図１３を参照して、実施形態にかかるカードエッジコネクタ１０について説明する。実施形態にかかるカードエッジコネクタ１０は、図１、図３、及び図１３に示すように、基板１４の端部に複数のカードエッジ端子２２が形成されたカードエッジ部２０を有するカード部材１２と、カード部材１２のカードエッジ端子が装着される複数のコンタクト１６６が設けられた雌コネクタ５２とで構成されている。なお、実施形態では、カード部材１２は、カード部材１２が覆われる大きさのカバー体２６の内部に収容され、このカバー体２６と共に雌コネクタ５２に接続されるようになっている。
【００２９】
まず、図３及び図１３を参照して、雌コネクタ５２に接続されるカード部材１２について説明する。実施形態のカード部材１２は、回路配線等がプリントされ、集積回路等が搭載された基板１４と、この基板１４の表面１６及び裏面１８の端部に雌コネクタ５２に備えられたコンタクト１６６と接続される複数のカードエッジ端子２２が形成されたカードエッジ部２０を有している。なお、カードエッジ端子２２は、両面に限らず表面又は裏面のいずれか一方に形成されるようにしてもよい。
【００３０】
また、カードエッジ部２０には少なくとも一か所に切れ込み部２４が形成されている。この切れ込み部２４は、雌コネクタ５２との接続の際に、後述する雌コネクタ５２を構成する外側ハウジング５４及び内側ハウジング１２０に形成された各仕切部１０２、１４２に嵌り込む部分となり、カード部材１２の位置決めやカード部材１２が反対に取り付けられること等を防止するための部分となる。なお、切れ込み部２４は、カード部材１２のカードエッジ部２０の中央部分からずれた位置に形成されている。
【００３１】
なお、基板１４の材質は、例えば、ガラスエポキシ材料を用いたもので形成されている。このガラスエポキシ材料で形成された基板１４の線膨張係数は、約１．４×１０-5／℃となっている。
【００３２】
また、実施形態のカード部材１２が収容されるカバー体２６は、図３Ｃに示すように、一方側が開口したカバー体開口部３０を有する前壁面２８と、この前壁面２８と対向する後壁面３２と、上壁面３４、底壁面３６、一方の側壁面３８及び他方の側壁面４０で囲まれ、内部にカード部材１２が収容可能な収容空間４２を有する箱状体で形成されている。
【００３３】
カバー体２６の前壁面２８は、雌コネクタ５２に挿入される側となり、また、前壁面２８に形成されたカバー体開口部３０は、雌コネクタ５２に設けられたコンタクト１６６等が挿入される部分となる。
【００３４】
カバー体２６の上壁面３４の外周側には、上壁面３４の略中央部分に係合突起４４が突出して形成されている、この係合突起４４は、雌コネクタ５２に装着された場合に、後述する雌コネクタ５２の外側ハウジング５４に形成された係合部７８と係合される部分である。また、この係合突起４４の両側には、一対の案内レール４６が形成されており、雌コネクタ５２と接続される際の移動が案内されるようになる。なお、この案内レール４６は、後述する雌コネクタ５２の外側ハウジング５４に形成された案内部８０に沿って移動されるようになる。
【００３５】
さらに、カバー体２６の底壁面３６、一方の側壁面３８及び他方の側壁面４０には、それぞれ案内突起４８が、カバー体２６の挿入方向に沿って形成されている。この案内突起４８は、それぞれ、後述する雌コネクタ５２の外側ハウジング５４に形成された対応するそれぞれの案内溝８２に沿って移動される部分となる。
【００３６】
また、カバー体２６の内側の一方の側壁面３８側及び他方の側壁面４０側には、カード部材１２が装着される溝状の支持部５０がカード部材１２の挿入される方向に沿って形成されており、カード部材１２をカバー体２６の内部に取り付ける際に、移動が案内されるようになると共に、装着された場合に位置決めがされるようになる。さらに、カバー体２６の内側の後壁面３２側には、装着されたカード部材１２が固定される固定片５１が形成されている。この固定片５１は、カード部材１２の基板１４を挟持できるように二股に分かれて形成されている。そして。各支持部５０及び固定片５１によりカード部材１２がカバー体２６の収容空間４２内に配置されるようになる。
【００３７】
次に、雌コネクタ５２について説明する。雌コネクタ５２は、図２に示すように、外側ハウジング５４と、複数のワイヤー２０４が接続され、外側ハウジング５４内に設けられる複数のコンタクト１６６と、この複数のコンタクト１６６が取り付けられ、外側ハウジング５４の内部に格納される内側ハウジング１２０と、内側ハウジング１２０に隣接して設けられ、複数のコンタクト１６６に接続された複数のワイヤー２０４を保持するワイヤーシール２０６と、ワイヤーシール２０６を覆い、ワイヤーシール２０６と共に内側ハウジング１２０に取り付けられるワイヤーシールカバー２１２と、導出された複数のワイヤー２０４が覆われ、外側ハウジング５４に取り付けられるワイヤーカバー２２２と、内側ハウジング１２０、及び複数のコンタクト１６６を外側ハウジング５４に固定する一対のリテーナ２２６ａ、２２６ｂを有している。さらに、外側ハウジング５４の内側のカード部材１２が挿入される側には、環状のシール部材１１８が設けられている。また、実施形態では、コンタクト１６６は、装着されるカード部材１２を挟んで上側と下側の２段に設けられている。なお、実施形態の雌コネクタ５２では、図１１、図１３に示すワイヤーのワイヤーカバーに導出された部分は省略されている。
【００３８】
外側ハウジング５４は図４、図５、図１１〜図１３に示すように、カード部材１２のカードエッジ端子２２が形成された側がカバー体２６と共に挿入される幅方向に広く形成された前側開口部５８を有する第１前面５６と、第１前面５６の反対側であって、前側開口部５８と連通する後側開口部６２を有する第１後面６０とを有し、第１上面６６、第１底面６８、一方の第１側面７０及び他方の第１側面７２で囲まれ、内部に空間を有する中空の筒状体で形成されている。
【００３９】
外側ハウジング５４の第１前面５６は、前側開口部５８が形成され、この前側開口部５８から、カード部材１２及び、カード部材１２が装着されたカバー体２６が挿入される。また第１前面５６の一方の第１側面７０、他方の第１側面７２及び第１底面６８側には、カバー体２６に形成された各案内部８０が嵌り込む案内溝８２が内部に向かってそれぞれ形成されている。
【００４０】
外側ハウジング５４の第１後面６０は、後側開口部６２が形成され、この後側開口部６２から、雌コネクタ５２を構成する内側ハウジング１２０やコンタクト１６６等が挿入され、組立てられるようになると共に、ワイヤー２０４が導出されるようになる。また、第１後面６０には、後側開口部６２の外側に、ワイヤーシールカバー２１２が取り付けられるにワイヤーシールカバー装着突起８４が複数、実施形態では４箇所に形成されている。
【００４１】
また、第１後面６０の第１上面６６及び第１底面６８のそれぞれの角部には、ワイヤーカバー２２２が取り付けられる、ワイヤーカバー装着部６４が、四隅に形成されている。
【００４２】
また、一方の第１側面７０及び他方の第１側面７２には、それぞれリテーナ２２６が挿入されるリテーナ挿入溝８６が形成されている。
【００４３】
また、外側ハウジング５４の内部には、前側開口部５８と後側開口部６２とを繋ぐ内部空間７４が形成されている。そして、この内部空間７４には、内側ハウジング１２０が格納される格納部８８が形成されている。
【００４４】
格納部８８は、上部９４、底部９６、一方の側部９８及び他方の側部１００で囲まれ、第１前面５６側の前部９０及び第１後面６０側の後部９２がそれぞれ幅方向に広く開口されて連通され、内側ハウジング１２０が格納される格納空間１０４を有する中空の筒状体で形成されている。そして、この格納部８８は、外側ハウジング５４の第１後面６０側で外側ハウジング５４の内周面と繋ぎ部１０１より繋がれて、外側ハウジング５４の内部に配置されるようになる。
【００４５】
また、格納部８８の前部９０側の上部側及び下部側の格納空間１０４には、装着されたコンタクト１６６が位置決め固定される複数の係止部１０６が格納空間１０４の内側に向かって突出して形成されている。この係止部１０６は、コンタクト１６６が装着される方向に対して垂直方向に弾性変形ができるように形成されている。さらに、係止部１０６には、後述するコンタクト１６６に形成された係止孔１７６と形成される係止突起１０８が形成されており、係止部１０６の係止突起１０８がコンタクト１６６の係止孔１７６と係止されることで、コンタクト１６６が位置決め固定されるようになる。
【００４６】
また、格納部８８の前部９０側の格納空間１０４には、上部９４側と底部９６側とを繋ぐ第１仕切部１０２が格納部８８と一体に形成されている。この第１仕切部１０２は、複数の係止部１０６と並んで形成されている。
【００４７】
また、格納空間１０４の一方の側部９８及び他方の側部１００には、格納された内側ハウジング１２０が固定される内側ハウジング固定部１１６がそれぞれ形成されている。この内側ハウジング固定部１１６は、内側ハウジング１２０に形成された内側ハウジング固定突起１６４と係止されるようになる。
【００４８】
なお、この格納空間１０４には、内側ハウジング１２０が格納された後部９２側に、ワイヤーシール２０６が格納されるようになり、また、ワイヤーシールを覆う、ワイヤーシールカバーも、一部がワイヤーシール２０６と接するように格納されるようになる。さらに、格納部８８の後部９２には、このワイヤーシールカバー２１２が装着されるワイヤーシールカバー装着突起８４が形成されている。
【００４９】
また、格納部８８の一方の側部９８及び他方の側部１００の外周側には、リテーナ２２６ａ、２２６ｂが取り付けられるリテーナ取付部１１４が上部側及び下部側にそれぞれ形成されている。さらに、一方の側部９８及び他方の側部１００の中央部分には、リテーナ２２６ａ、２２６ｂが挿入されるリテーナ挿入部１１２がそれぞれ形成されている。このリテーナ取付部１１４及びリテーナ挿入部１１２はそれぞれ、外側ハウジング５４の一方の第１側面７０及び他方の第１側面７２に形成されたリテーナ挿入溝８６に対応した位置に形成されている。
【００５０】
なお、格納部８８の外周には、シール部材１１８が取り付けられている。このシール部材１１８は、実施形態では、リテーナ２２６ａ、２２６ｂが取り付けられる位置に比べ、後部９２側に取り付けられるようになっている。
【００５１】
また、外側ハウジング５４の格納部８８の内周には、第１段部１１０が形成されている。この第１段部１１０は、前部９０側が後部９２側に比べて一段高くなるように環状に形成されている。この第１段部１１０は上部９４、一方の側部９８、底部９６及び他方の側部１００に亘って形成されている。
【００５２】
また、外側ハウジング５４の内部空間７４の第１前面５６側は、カード部材１２及びカバー体２６が装着される装着空間７６となっている。この装着空間７６には、外側ハウジング５４の第１上面６６側の中央部分に、係合部７８が形成されており、この係合部７８の両側には、一対の案内部８０がそれぞれ形成さている。また、装着空間７６の外側ハウジング５４の一方の第１側面７０側、他方の第１側面７２側及び第１底面６８側には、第１前面５６側から第１後面６０側に向かって案内溝８２がそれぞれ形成されている。
【００５３】
なお、実施形態の外側ハウジングは、樹脂材料、例えば、ＰＢＴ（ポリブチレンテレフタレート）樹脂やＰＡ（ポリアミド）樹脂等で形成され、後述する内側コアハウジングに比べ軟らかくなるように形成されている。
【００５４】
次に、内側ハウジング１２０について説明する。内側ハウジング１２０は、図６、図７、図１１〜図１３に示すように、カード部材１２のカードエッジ部２０が挿入される内側開口部１３８が形成された第２前面１２２と、この第２前面１２２の反対の面であって、複数のコンタクト１６６が挿入される複数のコンタクト挿入口１４６が形成された第２後面１２４と、第２上面１２８、第２底面１３０、一方の第２側面１３２及び他方の第２側面１３４とで囲まれた、略直方体状で形成されている。なお、複数のコンタクト挿入口１４６は、２段に形成されており、中央部分を挟んで、上側と下側の幅方向に並んで設けられている。
【００５５】
内側ハウジング１２０の第２前面１２２には、内側開口部１３８が形成されており、この内側開口部１３８の中央部分からずれた位置には、第２上面１２８と第２底面１３０とを繋いだ第２仕切部１４２が形成されている。第２仕切部１４２は、外側ハウジング５４に形成された第１仕切部１０２が嵌り込むように中央部分に溝部１４４が形成され、この溝部１４４の両側を壁体１４５で囲うように形成されている。なお、外側ハウジング５４の第１仕切部１０２と内側ハウジング１２０の第２仕切部１４２は、外側ハウジング５４と内側ハウジング１２０が組み合わされた場合に、第２仕切部１４２に第１仕切部１０２が嵌り込むようになる。そのため、カード部材１２に形成された切れ込み部２４は、外側ハウジング５４に形成された第１仕切部１０２に内側ハウジング１２０に形成された第２仕切部１４２が組み込まれた状態で、嵌め込まれるような幅で形成されている。
なお、第１仕切部１０２及び第２仕切部１４２は、実施形態では一箇所に形成されているが、複数個所の設けるようにしてもよい。
【００５６】
また、内側ハウジング１２０の第２後面１２４には、コンタクト挿入口１４６が２段に亘って幅方向に並んで形成されている。また第２後面１２４には、複数の柱状体１２６が形成されている。この複数の柱状体１２６は、後述するワイヤーシール２０６に形成された複数の孔２１０に嵌り込み、ワイヤーシール２０６を位置決め固定するものである。
【００５７】
また、内側ハウジング１２０の一方の第２側面１３２及び他方の第２側面１３４の第２前面１２２側には、内側ハウジング１２０が外側ハウジング５４の内側ハウジング固定部１１６に装着される内側ハウジング固定突起１６４が形成されている。
【００５８】
また、内側ハウジング１２０の内部には、内側ハウジング１２０の第２前面１２２に形成された内側開口部１３８と連通し、カード部材１２のカードエッジ部２０が配置される内側内部空間１４０が形成されている。なお、この内側内部空間１４０の第２後面１２４側は塞がれている。
【００５９】
また、内側ハウジングの第２後面１２４に２段に形成されたコンタクト挿入口１４６と連通し、内側ハウジング１２０の内部にコンタクト１６６が収容される複数のコンタクト収容部１４８が幅方向に並んで２段に形成されている。なお、このコンタクト収容部１４８の第２前面１２２側は塞がれている。
【００６０】
コンタクト収容部１４８は内側内部空間１４０を挟み第２上面１２８側と第２底面１３０側と対向して一段ずつ形成されている。このとき、コンタクト収容部１４８は上側及び下側の構成が内側内部空間を挟んで対称となるように形成されている。
【００６１】
また、コンタクト収容部１４８には収容されたコンタクト１６６の一方の側面部１７８及び他方の側面部１８２と隣接する位置に、一方の第２側面１３２及び他方の第２側面１３４と平行となるような側壁部１５０が形成されている。さらに、コンタクト収容部１４８は、内側ハウジング１２０の第２前面１２２側に上側と下側の側壁部１５０を繋ぐように端壁部１５２が形成されている。そして、コンタクト収容部１４８は、これらの側壁部１５０及び端壁部１５２によって囲まれるようになっている。なお、コンタクト収容部１４８の端壁部１５２は、内側開口部１３８を挟んで対向する上側及び下側の端壁部１５２が、溝部１４４を除いてそれぞれ一体に繋がれて形成されている。このように端壁部１５２が一体に形成されていることで端壁部１５２を強固に形成することができる。
【００６２】
また、コンタクト収容部１４８の端壁部１５２には、収容されたコンタクト１６６に対応するように所定長さの突起部１５４がコンタクト挿入口１４６側に向かって突出してそれぞれ形成されている。この突起部１５４はコンタクト１６６に形成された第１開口１７０が嵌入されて結合される部分となる。この突起部１５４の先端側は、コンタクト１６６が嵌入しやすいように傾斜して形成されている。また、端壁部１５２と突起部１５４の上側と下側には、段差１５９がそれぞれ形成されており、突起部１５４にコンタクトが嵌入されたとき、この段差１５９にコンタクト１６６の第１開口１７０の厚さ部分が収まることで、カード部材１２との接触を抑制し、カード部材の損傷を抑制することができる。
【００６３】
また、内側ハウジング１２０の第２上面１２８側のコンタクト収容部１４８は、第２上面１２８側が開放された第１開放部１５６となっており、この第１開放部１５６に外側ハウジング５４に形成された係止部１０６が入り込むようになる。また、コンタクト収容部１４８の内側内部空間１４０側は、開放された第２開放部１５８となっており、装着されたコンタクト１６６の接触部１６８の接点部１９４が突出されるようになり、突出した接点部１９４がカードエッジ端子２２と接触するようになる。なお、コンタクト収容部１４８は、内側内部空間１４０に対して対称に形成されているので、第２底面１３０側のコンタクト収容部１４８は、第２底面１３０側に第１開放部１５６が形成され、内側内部空間１４０側に第２開放部１５８が形成されている。
【００６４】
また、内側ハウジング１２０の外周には、第２前面１２２側が第２後面１２４側に比べて一段高くなるように第２段部１３６が環状に形成されている。この第２段部１３６は第２上面１２８、一方の第２側面１３２、第２底面１３０及び他方の第２側面１３４に亘って形成されている。
【００６５】
また、内側ハウジング１２０の一方の第２側面１３２及び他方の第２側面１３４には、リテーナ２２６ａ、２２６ｂが挿入されるリテーナ挿入口１６０がそれぞれ形成されている。このリテーナ挿入口１６０は、内側ハウジング１２０の内部に形成されたリテーナ挿通部１６２と連通されている。このリテーナ挿通部１６２にリテーナ２２６ａ、２２６ｂが挿通されることで、内側ハウジング１２０と外側ハウジング５４とが固定される。
【００６６】
また、実施形態の内側ハウジング１２０は、カード部材１２を構成する基板１４の有する線膨張係数と同じか、又は近似する線膨張係数となるように樹脂材料で形成されており、例えば、ガラス材を混合させたＬＣＰ（液晶ポリマー）やＰＰＳ（ポリフェニレンサルファイド）樹脂等で形成されている。このとき、ガラス材は凡そ１５〜４０％混合されて形成されている。
【００６７】
次に、図８及び図９を参照してコンタクト１６６について説明する。コンタクト１６６は、カード部材１２のカードエッジ部２０に形成されたカードエッジ端子２２と電気的に接続されるものであり、一方にカードエッジ端子２２と接触される接点部１９４を有する接触部１６８と、他方にワイヤー２０４が接続されるワイヤー接続部１９８とが一体に形成されている。このコンタクト１６６の形成は、例えば、打ち抜き加工した金属製の板体をプレス加工や折り曲げ加工等を行うことで形成される。
【００６８】
接触部１６８は、コンタクト１６６が内側ハウジング１２０内のコンタクト収容部１４８に収容されたとき、内側ハウジングの第２前面側に形成される第１開口１７０と、第２後面１２４側に形成される第２開口１７２とを有し、底面部１７４、一方の側面部１７８、他方の側面部１８２及び上面部１８６で囲まれて構成された中空の筒状体で形成されている。
【００６９】
接触部１６８を構成する底面部１７４は、所定面積を有する矩形状の板体で形成されている。また、この底面部１７４の軸線方向と平行な両端辺から直角に屈曲されて延設された一方の側面部１７８及び他方の側面部１８２が形成されている。さらに、上面部１８６は他方の側面部１８２の底面部１７４側と反対側の端辺から直角に屈曲されて形成されている。また、上面部１８６の下側には一方の側面部１７８の底面部１７４側と反対側の端辺の第２開口１７２側の一部が直角に屈曲されて形成された接触片１９２が配置されている。
【００７０】
さらに、一方の側面部１７８には、一方の側面部１７８の上部の接触片１９２が延設されている延設部１９６以外の部分であって、一方の側面部１７８の上面部１８６側が切欠かれた切欠き部１８４が形成されている。そして、上面部１８６には一方の側面部１７８側の端辺から直角に屈曲されて形成された切欠き部１８４と対応する大きさで形成された短側面部１８８が形成され、この短側面部１８８により切欠き部１８４が塞がれている。このような構成により、接触部１６８は中空の直方体状に形成されている。
【００７１】
また、接触片１９２は湾曲した板状体で形成されており、一方にカードエッジ端子２２と接触される接点部１９４が設けられ、他方に一方の側面部１７８と繋がれた延設部１９６で一体に構成されている。なお、上面部１８６には開孔１９０が形成されており、接触片１９２に設けられた接点部１９４がこの開孔１９０から突出するように配置されている。
【００７２】
このようにすることで、接触部１６８ではカード部材１２が脱着されることによりカードエッジ端子２２により接点部１９４が押動され、接触片１９２が延設部１９６を基準として上下に弾性変形するようになり、カードエッジ部に歪みがあっても十分な接圧を得ることができる。
【００７３】
また、コンタクト１６６の底面部１７４には係止孔１７６が形成されており、外側ハウジング５４に形成された係止部１０６の係止突起１０８と係止するようになる。さらに、コンタクト１６６の他方の側面部１８２側には、カード部材１２との接続により接触片１９２の押し下げられる可動範囲を規制する規制部１８０が、他方の側面部１８２の一部を屈曲させて形成されている。この規制部１８０が形成されることにより、コンタクト１６６の接触片１９２の変形を一定の範囲内とすることができるため、カードエッジ端子２２とコンタクト１６６との接圧が弱まることを抑制することができる。
【００７４】
また、接触部１６８の第２開口１７２側の底面部１７４側は、ワイヤー接続部１９８と繋がれており、上面部１８６側は、開放されている。そして、この第２開口１７２側の開放された端部は、リテーナ２２６ａ、２２６ｂと当接され、内側ハウジング１２０に固定される固定部分２０２となっている。
【００７５】
一方、ワイヤー接続部１９８は、図６に示すように、ワイヤー２０４が接続されていない状態では両側の片部２００が上方に向かって形成されているが、ワイヤー２０４が接続されると両側の片部２００を折り曲げワイヤー２０４を挟み込むことで、コンタクト１６６とワイヤー２０４の装着が行われるようになる。なお、ワイヤー２０４は一方がコンタクト１６６に装着され、他方が外部の電子機器等に接続されている。
【００７６】
また、ワイヤーシール２０６は、図１０Ｂに示すようにワイヤー２０４が貫通する複数の貫通孔２０８が形成されていると共に、内側ハウジング１２０と当接する側の面には、内側ハウジング１２０の第２後面１２４に形成された複数の柱状体１２６が嵌り込む複数の孔２１０が形成されている。
【００７７】
また、ワイヤーシール２０６の内側ハウジング１２０が当接する面とは反対の面には、ワイヤーシールカバー２１２に形成された嵌入突起２１６が嵌入される嵌入孔が形成されている（図示省略）。
【００７８】
また、ワイヤーシール２０６の外周及び内周には、凸状の突起と凹状の溝が交互に外周方向に沿って環状に形成されている。
【００７９】
このワイヤーシール２０６は、樹脂材料により弾性変形可能に形成されており、外側ハウジング５４内に配設されるワイヤー２０４を固定し、且つ、ワイヤー同士及びワイヤー２０４と外側ハウジング５４の格納空間との隙間を埋めるようにすることで、液体や埃等の侵入を抑制するものである。
【００８０】
ワイヤーシールカバー２１２は、図１０Ａに示すように、ワイヤーシール２０６が取り付けられ、このワイヤーシール２０６と共に外側ハウジング５４に装着されるものである。このとき、ワイヤーシール２０６は、内側ハウジング１２０の第２後面１２４に当接されるようになる。
【００８１】
ワイヤーシールカバー２１２のワイヤーシール２０６と当接される面には、ワイヤー２０４が挿通される複数の挿通孔２１４が形成されている。また、この面には、ワイヤーシール２０６をワイヤーシールカバー２１２に固定する複数の嵌入突起２１６が突出して形成されている。
【００８２】
また、ワイヤーシールカバー２１２の上側及び下側には、ワイヤーシールカバー２１２が外側ハウジング５４に装着されるワイヤーシールカバー装着部２１８が形成されている。このワイヤーシールカバー装着部２１８は、外側ハウジング５４に形成されたワイヤーシールカバー装着突起８４と係止されるような溝状に形成されており、装着の際に弾性変形できるようにされている。このワイヤーシールカバー装着部２１８は、ワイヤーシール２０６と当接される側に延設して形成されている。
【００８３】
また、ワイヤーシールカバー２１２の両側には、ワイヤーシール２０６と当接される側に突出した囲い部２２０が形成され、この囲い部２２０の内側にワイヤーシール２０６が配置されるようになる。
【００８４】
ワイヤーカバー２２２は、図２に示すように、雌コネクタ５２に装着されたワイヤー２０４の導出された部分を覆うものである。なお、実施形態のワイヤーカバー２２２は、導出されたワイヤー２０４をまとめて一方の方向に導くように屈曲した形状となっている。そのため、ワイヤーカバー２２２は、外側ハウジングと装着される側と、一方の側面側が開放されており、他の部分が塞がれた形状となっている。
【００８５】
また、ワイヤーカバー２２２の外側ハウジング５４と装着される側には、外側ハウジング５４の第１後面６０の４隅に形成されたワイヤーカバー装着部６４に装着されるワイヤーカバー装着突起２２４がそれぞれ対応する位置に形成されている。
【００８６】
また、リテーナ２２６ａ、２２６ｂは、図２及び図１０Ｃに示すように、雌コネクタ５２が組み立てされるときに、外側ハウジング５４の一方の第１側面７０側及び他方の第１側面７２側のリテーナ挿入溝８６から挿入され、外側ハウジング５４と内側ハウジング１２０及びコンタクト１６６を固定するものである。なお、実施形態では、リテーナ２２６ａ、２２６ｂは、外側ハウジング５４の両側から挿入されるように一対設けられている。なお、一対のリテーナ２２６ａ、２２６ｂは、略対称の形状となっている。以下、一方を代表して説明する。
【００８７】
リテーナ２２６ａは、中央に棒状のリテーナ本体２２８を有し、このリテーナ本体２２８には、挿入方向に対して上下の垂直方向に突出した固定突起２３０がコンタクト１６６に形成された固定部分２０２と対応するように形成されている。そして、この固定突起２３０は、コンタクト１６６の固定部分２０２と当接する部分であるためコンタクト１６６と対応する個数で形成されている。
【００８８】
また、リテーナ２２６ａの片方の端部には、上下側に延設された円弧状の取付片２３２がそれぞれ形成されており、この取付片２３２の端部には、外側ハウジング５４の格納部８８に形成されたリテーナ取付部１１４に取り付けられる取付突起２３４がそれぞれ形成されている。
【００８９】
なお、この取付片２３２は、弾性変形可能に形成されており、外側ハウジング５４のリテーナ取付部１１４に取り付ける際には、弾性変形して行われ、この弾性力により取付突起２３４がリテーナ取付部１１４に押圧されることで抜け難くされている。
【００９０】
また、シール部材１１８は、図２及び図１１に示すように、格納部８８の外周側が覆われるような環状の筒状体で形成されている。なお、シール部材１１８の内周側及び外周側には環状の凹凸が形成されている。また、実施形態では、シール部材は外側ハウジングの格納部の外周側に設けられているが、これに限らず、カード部材側又はカバー体側に設けるようにしてもよい。
【００９１】
次に、主に図１１及び図１２を参照して組み立てられた状態の雌コネクタ５２を説明する。組み立てられた雌コネクタ５２は、外側ハウジング５４の格納部８８に内側ハウジング１２０、ワイヤーシール２０６がワイヤーシールカバー２１２に押圧されるようにして格納されている。
【００９２】
このとき、内側ハウジング１２０の内側内部空間１４０に形成された第２仕切部１４２の溝部１４４に外側ハウジング５４の格納部８８に形成された第１仕切部１０２が嵌まり込み、一体となった状態で配置されるようになる。また、内側ハウジング１２０が格納部８８に格納される際に、格納部８８の内周側に形成された第１段部１１０と内側ハウジング１２０の外周側に形成された第２段部１３６とが当接されている。
【００９３】
また、内側ハウジング１２０の一方の第２側面１３２及び他方の第２側面１３４に形成された内側ハウジング固定突起１６４が外側ハウジング５４の格納部８８の格納空間１０４の両側部９８、１００側に形成された内側ハウジング固定部１１６と係止され、内側ハウジング１２０が格納部８８内に固定されている。
【００９４】
さらに、内側ハウジング１２０の第２上面１２８側の第１開放部１５６に、格納部８８に形成された係止部１０６が入り込むようにされている。このとき、係止部１０６の係止突起１０８が内側ハウジング１２０内に突出されている。
【００９５】
また、ワイヤーシール２０６は内側ハウジング１２０の第２後面１２４に形成された柱状体１２６とワイヤーシール２０６の内側ハウジング１２０と当接する面に形成された孔２１０とが嵌め合わされ、また、ワイヤーシール２０６のワイヤーシールカバー２１２と当接する面に形成された嵌入孔とワイヤーシールカバー２１２に形成された嵌入突起２１６とが嵌め合わせられ、内側ハウジング１２０、ワイヤーシール２０６及びワイヤーシールカバー２１２が固定されている。
【００９６】
このとき、内側ハウジング１２０の各コンタクト収容部１４８、ワイヤーシール２０６の各孔２１０及びワイヤーシールカバー２１２の各挿通孔２１４がそれぞれ連通するようになっている。なお、ワイヤーシールカバー２１２は、格納部８８の後部９２側に形成されたワイヤーシールカバー装着突起８４にワイヤーシールカバー装着部２１８が係止されて装着されている。
【００９７】
また、内側ハウジング１２０内には、ワイヤー２０４が接続された複数のコンタクト１６６が装着されている。なお、このワイヤー２０４とコンタクト１６６の接続は、コンタクト１６６のワイヤー接続部１９８の両側の片部２００を折り曲げワイヤー２０４を挟み込むことでワイヤー２０４が固定されて接続される（図８参照）。
【００９８】
コンタクト１６６は、内側ハウジング１２０のコンタクト収容部１４８に収容されて装着されている。このとき、コンタクト１６６に形成された係止孔１７６と内側ハウジング１２０のコンタクト収容部１４８に形成された第１開放部１５６が対向するように収容され、また、外側ハウジング５４の格納部８８に形成された係止部１０６の係止突起１０８がコンタクト収容部１４８の第１開放部１５６から突出し、突出した係止突起１０８がコンタクト１６６の係止孔１７６に係止されている。また、内側ハウジング１２０のコンタクト収容部１４８の第２開放部１５８からは、コンタクト１６６の接触片１９２の接点部１９４が突出して配置されている。
【００９９】
このとき、複数のコンタクト１６６は、内側ハウジング１２０の内側内部空間１４０を挟んで上側と下側とで、コンタクト１６６の接点部１９４が向かい合うようにそれぞれ装着されている。
【０１００】
さらに、コンタクト１６６の第１開口１７０の内部に内側ハウジング１２０の第２前面１２２側の端壁部１５２に形成された突起部１５４が嵌入される。このようにすることで、コンタクト１６６を内側ハウジング１２０に強固に固定させることができ、カード部材１２と接続されたときに接圧が逃げることを抑制することができる。
【０１０１】
また、外側ハウジング５４、内側ハウジング１２０及び各コンタクト１６６は、一対のリテーナ２２６ａ、２２６ｂにより固定されている。この固定は、外側ハウジング５４の一方の第１側面７０及び他方の第１側面７２のそれぞれに形成されたリテーナ挿入溝８６からリテーナ２２６ａ、２２６ｂをそれぞれ挿入し、リテーナ２２６ａ、２２６ｂのリテーナ本体２２８が内側ハウジング１２０の一方の第２側面１３２及び他方の第２側面１３４に形成されたリテーナ挿入口１６０からリテーナ挿通部１６２内に配置されることで、内側ハウジング１２０と外側ハウジング５４が固定されている。また、このとき、内側ハウジング１２０のコンタクト収容部１４８に収容されているコンタクト１６６の固定部分２０２とリテーナ２２６ａ、２２６ｂに形成された固定突起２３０とが当接されることで、コンタクト１６６がコンタクト収容部１４８内に固定されている。
【０１０２】
また、外側ハウジング５４の第１後面６０側には、ワイヤーカバー２２２が装着されている。このワイヤーカバー２２２は、外側ハウジング５４の第１後面６０の４隅に形成されたワイヤーカバー装着部６４にワイヤーカバー２２２のワイヤーカバー装着突起２２４がそれぞれ係止されて装着されている。
【０１０３】
また、内側ハウジング１２０の内側であって格納部８８の外周には、環状のシール部材１１８が取り付けられている。このシール部材１１８は、格納部８８のリテーナ２２６ａ、２２６ｂが取り付けられる位置に比べ、後部９２側に取り付けられるようになっている。
【０１０４】
次に、主に図１３を参照して、雌コネクタ５２とカード部材１２の接続について説明する。雌コネクタ５２にカード部材１２を接続させる場合は、まず、カード部材１２をカバー体２６のカバー体開口部３０から挿入し、カバー体２６内の支持部５０及び固定片５１に支持されるように取り付ける。このとき、カード部材１２のカードエッジ端子２２が形成されている側がカバー体開口部３０側に向くように配置させる（図１Ｂ参照）。
【０１０５】
そして、雌コネクタ５２の外側ハウジング５４の第１前面５６の前側開口部５８に、カード部材１２のカードエッジ部２０側及びカバー体２６の前壁面２８側を挿入させる。このとき、カバー体２６の上壁面３４の外周側に形成された一対の案内レール４６が外側ハウジング５４の第１上面６６側の装着空間７６に形成された案内部８０に沿って挿入され、また、カバー体２６の一方の側壁面３８、他方の側壁面４０及び底壁面３６に形成された各案内突起４８が、外側ハウジング５４の一方の第１側面７０、他方の第１側面７２及び第１底面６８に形成された案内溝８２に沿って挿入されるようになる。
【０１０６】
その後、挿入を続けると、カード部材１２は、内側ハウジング１２０に装着されたコンタクト１６６と接触し、カバー体２６は、外側ハウジング５４の奥まで挿入されるようになる。
【０１０７】
このとき、カード部材１２の各カードエッジ端子２２は、各コンタクト１６６の接点部１９４と接触して電気的に導通されるようになる。また、カード部材１２のカードエッジ部２０側に形成された切れ込み部２４が、外側ハウジング５４の格納部８８に形成された第１仕切部１０２と内側ハウジング１２０に形成された第２仕切部１４２とを挟み込むようにして装着される。
【０１０８】
また、カバー体２６の前壁面２８側は、外側ハウジング５４の内周側と格納部８８の外周側との間に配置されるようになり、カバー体２６の内周側が格納部８８の外周に取り付けられたシール部材１１８と接するようになる。
【０１０９】
さらに、カバー体２６の係合突起４４と、外側ハウジング５４の装着空間７６の第１上面６６側に形成された係合部７８とが係合されることで、カバー体２６と外側ハウジング５４とが抜け止めされ、カード部材１２が雌コネクタ５２から外れることが抑制される。
以上で、雌コネクタ５２とカード部材１２及びカバー体２６の接続が完了し、カードエッジコネクタ１０が完成される。
【０１１０】
ここで、実施形態の雌コネクタ５２では、外側ハウジング５４及び内側ハウジング１２０を製造する際の硬さが異なって形成されており、実施形態の外側ハウジング５４は、内側ハウジング１２０に比べ軟らかく形成されている。
【０１１１】
すなわち、実施形態の内側ハウジング１２０は、カード部材１２を構成する基板１４と同じ硬さ、具体的には、基板１４を形成する材料と同じ、又は近似する線膨張係数を有する材料で形成されており、外側ハウジング５４は、その材料より軟らかい材料で形成されている。
【０１１２】
また、実施形態の雌コネクタ５２では、コンタクト１６６を固定するために、内側ハウジング１２０に形成されたコンタクト収容部１４８に収容し、外側ハウジング５４に形成された係止部１０６により固定されるような構成となっている。
【０１１３】
従来、カードエッジコネクタは、使用する環境温度の変化により、カード部材の基板及び雌コネクタのコンタクトが収容されたハウジングが膨張と収縮が繰り返されるようになる。このとき、カード部材と雌コネクタの線膨張係数が異なる場合、膨張する距離が異なるため、カードエッジ端子上をコンタクトの接点部が摺動するようになり、この摺動が繰り返されることにより、カードエッジ端子及びコンタクトのメッキが磨耗することで剥がれてしまい、剥がれたメッキが酸化し、電気抵抗値が上昇するおそれがある。
【０１１４】
そのため、カード部材と雌コネクタの線膨張係数が同じ、または近似する材料で形成することで、環境温度が変化しても、基板が膨張及び収縮する距離とハウジングが膨張及び収縮する距離とが略同じになることにより、カードエッジ端子とコンタクトが摺動することを抑制することができるようになる。
【０１１５】
しかし、雌コネクタのハウジングを基板と同じ又は近似する線膨張係数の材料で形成すると、ハウジングが硬く形成され、特にコンタクトを固定させる係止部がもろくなり、破損する恐れがある。
【０１１６】
実施形態の雌コネクタ５２では、コンタクト１６６が収容されるコンタクト収容部１４８が形成された内側ハウジング１２０は、カード部材１２の基板１４と同じ、または、近似する線膨張係数を有する材料で形成され、コンタクト１６６を固定する係止部１０６が形成された外側ハウジング５４は、内側ハウジング１２０より軟らかくなるように形成されている。そのため、実施形態のカードエッジコネクタ１０では、環境温度が変化しても、カード部材１２の基板１４が膨張及び収縮する距離とコンタクト１６６が収容された内側ハウジング１２０が膨張及び収縮する距離とが略同じとすることができ、また、コンタクト１６６が固定される係止部１０６が柔軟性を有するようになることで、係止部１０６の破損を抑制することができるようになる。
【０１１７】
なお、実施形態の内側ハウジングと基板の線膨張係数の関係は、基板の線膨張係数をＸとし、内側ハウジングの線膨張係数をＹとしたとき、０．８５Ｘ≦Ｙ≦１．１５Ｘ、の範囲であることが好ましい。
【符号の説明】
【０１１８】
１０：カードエッジコネクタ  １２：カード部材  １４：基板  １６：表面  １８：裏面  ２０：カードエッジ部  ２２：カードエッジ端子  ２３：コンタクト端子  ２４：切れ込み部  ２６：カバー体  ２８：前壁面  ３０：カバー体開口部  ３２：後壁面  ３４：上壁面  ３６：底壁面  ３８：一方の側壁面  ４０：他方の側壁面  ４２：収容空間  ４４：係合突起  ４６：案内レール  ４８：案内突起  ５０：支持部  ５１：固定片  ５２：雌コネクタ  ５４：外側ハウジング  ５６：第１前面  ５８：前側開口部  ６０：第１後面  ６２：後側開口部  ６４：ワイヤーカバー装着部  ６６：第１上面  ６８：第１底面  ７０：一方の第１側面  ７２：他方の第１側面  ７４：内部空間  ７６：装着空間  ７８：係合部  ８０：案内部  ８２：案内溝  ８４：ワイヤーシールカバー装着突起  ８６：リテーナ挿入溝  ８８：格納部  ９０：前部  ９２：後部  ９４：上部  ９６：底部  ９８：一方の側部  １００：他方の側部  １０１：繋ぎ部  １０２：第１仕切部  １０４：格納空間  １０６：係止部  １０８：係止突起  １１０：段部  １１２：リテーナ挿入部  １１４：リテーナ取付部  １１６：内側ハウジング固定部  １１８：シール部材  １２０：内側ハウジング  １２２：第２前面  １２４：第２後面  １２６：柱状体  １２８：第２上面  １３０：第２底面  １３２：一方の第２側面  １３４：他方の第２側面  １３６：段部  １３８：内側開口部  １４０：内側内部空間  １４２：第２仕切部  １４４：溝部  １４５：壁体  １４６：コンタクト挿入口  １４８：コンタクト収容部  １５０：側壁部  １５２：端壁部  １５４：突起部  １５６：第１開放部  １５８：第２開放部  １５９：段差  １６０：リテーナ挿入口  １６２：リテーナ挿通部  １６４：内側ハウジング固定突起  １６６：コンタクト  １６８：接触部  １７０：第１開口  １７２：第２開口  １７４：底面部  １７６：係止孔  １７８：一方の側面部  １８０：規制部  １８２：他方の側面部  １８４：切欠き部  １８６：上面部  １８８：短側面部  １９０：開孔  １９２：接触片  １９４：接点部  １９６：延設部  １９８：ワイヤー接続部  ２００：片部  ２０２：固定部分  ２０４：ワイヤー  ２０６：ワイヤーシール  ２０８：貫通孔  ２１０：孔  ２１２：ワイヤーシールカバー  ２１４：挿通孔  ２１６：嵌入突起  ２１８：ワイヤーシールカバー装着部  ２２０：囲い部  ２２２：ワイヤーカバー  ２２４：ワイヤーカバー装着突起  ２２６：リテーナ  ２２８：リテーナ本体  ２３０：固定突起  ２３２：取付片  ２３４：取付突起
【図１】
2017050134.tif 000003
【図２】
2017050134.tif 000004
【図３】
2017050134.tif 000005
【図４】
2017050134.tif 000006
【図５】
2017050134.tif 000007
【図６】
2017050134.tif 000008
【図７】
2017050134.tif 000009
【図８】
2017050134.tif 000010
【図９】
2017050134.tif 000011
【図１０】
2017050134.tif 000012
【図１１】
2017050134.tif 000013
【図１２】
2017050134.tif 000014
【図１３】
2017050134.tif 000015